(57)【要約】【課題】本発明は、木質部材の接合作業の手間を低減することを目的とする。【解決手段】上側木質壁部材２０Ｘは、開口部３４が形成された木質壁部材本体２２と、木質壁部材本体２２の表面２２Ａに形成され、開口部３４から木質壁部材本体２２の下端部２２Ｌに亘るとともに引きボルト４０が配置される通路部３６と、を備える。【選択図】図３
2019027020.tif 000002
【特許請求の範囲】
【請求項１】
開口部が形成された木質部材本体と、
前記木質部材本体の表面に形成され、前記開口部から前記木質部材本体の端部に亘るとともに線材が配置される通路部と、
を備える木質部材。
【請求項２】
幅方向に間隔を空けて配置される第一開口部及び第二開口部が形成された木質壁部材本体と、
前記木質壁部材本体の表面に形成され、前記第一開口部から前記木質壁部材本体の上下方向の端部に亘るとともに第一線材が配置される第一通路部と、
前記木質壁部材本体の裏面に形成され、前記第二開口部から前記木質壁部材本体の前記端部に亘るとともに第二線材が配置される第二通路部と、
を備える木質壁部材。
【請求項３】
被接合部材から突出する線材に対して木質部材を横方向に移動させ、該木質部材の表面に形成された通路部内に前記線材を挿入するとともに、該線材の端部を前記木質部材に形成された開口部内に挿入し、
前記開口部内において、前記線材の前記端部にナットを締め込む、
木質部材の施工方法。
【発明の詳細な説明】
【技術分野】
【０００１】
本発明は、木質部材、木質壁部材、及び木質部材の施工方法に関する。
【背景技術】
【０００２】
木質部材の接合構造が知られている（例えば、特許文献１，２参照）。
【先行技術文献】
【特許文献】
【０００３】
【特許文献１】特開平６−２１２７１７号公報
【特許文献２】特開平７−０３２１９３号公報
【発明の概要】
【発明が解決しようとする課題】
【０００４】
木質部材の接合構造としては、例えば、引きボルト接合が知られている。引きボルト接合では、木質部材に、開口部が形成されている。また、木質部材の端部には、開口部に通じる取付孔が形成されている。この取付孔に引きボルトを挿入することにより、引きボルトの端部が開口部に露出される。そして、開口部内において、引きボルトの端部にナットを締め込むことにより、木質部材に引きボルトの一端部が固定される。
【０００５】
しかしながら、上記の引きボルト接合では、木質部材の取付孔に引きボルト等の線材の端部を挿入しなければならず、木質部材の接合作業に手間がかかる。
【０００６】
本発明は、上記の事実を考慮し、木質部材の接合作業の手間を低減することを目的とする。
【課題を解決するための手段】
【０００７】
請求項１に記載の木質部材は、開口部が形成された木質部材本体と、前記木質部材本体の表面に形成され、前記開口部から前記木質部材本体の端部に亘るとともに線材が配置される通路部と、を備える。
【０００８】
請求項１に係る木質部材によれば、木質部材本体には、開口部が形成される。また、木質部材本体の表面には、開口部から木質部材本体の端部に亘る通路部が形成される。この通路部には、線材が配置される。
【０００９】
ここで、通路部は、木質部材本体の表面に形成される。そのため、木質部材本体の表面側から、通路部に線材を容易に挿入（横入れ）することができる。したがって、木質部材の接合作業の手間が低減される。
【００１０】
請求項２に記載の木質壁部材は、幅方向に間隔を空けて配置される第一開口部及び第二開口部が形成された木質壁部材本体と、前記木質壁部材本体の表面に形成され、前記第一開口部から前記木質壁部材本体の上下方向の端部に亘るとともに第一線材が配置される第一通路部と、前記木質壁部材本体の裏面に形成され、前記第二開口部から前記木質壁部材本体の前記端部に亘るとともに第二線材が配置される第二通路部と、を備える。
【００１１】
請求項２に係る木質部材によれば、木質壁部材本体には、第一開口部及び第二開口部が形成される。第一開口部及び第二開口部は、木質壁部材本体の幅方向に間隔を空けて配置される。また、木質壁部材本体の表面には、第一通路部が形成される。第一通路部は、第一開口部から木質壁部材本体の上下方向の端部に亘る。この第一通路部には、第一線材が配置される。
【００１２】
また、木質壁部材本体の裏面には、第二通路部が形成される。第二通路部には、第二開口部から木質壁部材本体の端部に亘る。この第二通路部には、第二線材が配置される。
【００１３】
ここで、木質壁部材本体の表面には、第一通路部が形成され、木質壁部材本体の裏面には、第二通路部が形成される。これにより、木質壁部材本体を所定方向に回転させることにより、第一通路部に第一線材を挿入（横入れ）しつつ、第二通路部に第二線材を挿入（横入れ）することができる。したがって、木質部材の接合作業の手間が低減される。
【００１４】
請求項３に記載の木質部材の施工方法は、被接合部材から突出する線材に対して木質部材を横方向に移動させ、該木質部材の表面に形成された通路部内に前記線材を挿入するとともに、該線材の端部を前記木質部材に形成された開口部内に挿入し、前記開口部内において、前記線材の前記端部にナットを締め込む。
【００１５】
請求項３に係る木質部材の施工方法によれば、被接合部材から突出する線材に対して木質部材を横方向に移動させることにより、木質部材の表面の通路部に線材を挿入（横入れ）することができるとともに、木質部材の開口部に線材の端部を挿入（横入れ）することができる。したがって、木質部材の接合作業の手間が低減される。
【発明の効果】
【００１６】
以上説明したように、本発明に係る木質部材、木質壁部材、及び木質部材の施工方法によれば、木質部材の接合作業の手間を低減することができる。
【図面の簡単な説明】
【００１７】
【図１】第一実施形態に係る上側木質壁部材を備える構造物を示す立面図である。
【図２】開口部及び通路部を示す図１の一部拡大立面図である。
【図３】図２の３−３線断面図である。
【図４】図１に示される上側木質壁部材が揚重された状態を横から見た側面図である。
【図５】第一実施形態に係る上側木質壁部材の変形例を横から見た側面図である。
【図６】第二実施形態に係る上側木質壁部材の下部を示す立面図である。
【図７】図６の７−７線断面図である。
【図８】第三実施形態に係る一対の木質壁部材を示す立面図である。
【図９】第四実施形態に係る一対の木質床部材を示す断面図である。
【図１０】第一実施形態に係る木質壁部材の変形例を示す図３に相当する断面図である。
【発明を実施するための形態】
【００１８】
（第一実施形態）
先ず、第一実施形態について説明する。
【００１９】
図１には、本実施形態に係る上側木質壁部材２０Ｘを備えた構造物１０が示されている。構造物１０は、例えば、木造の壁式構造とされている。この構造物１０は、木質床部材１２と、木質床部材１２の上に配置された上側木質壁部材２０Ｘと、木質床部材１２の下に配置された下側木質壁部材２０Ｙとを備えている。
【００２０】
木質床部材１２は、構造物１０の所定階の床を形成している。また、上側木質壁部材２０Ｘは、構造物１０の所定階の壁を形成している。さらに、上側木質壁部材２０Ｘは、構造物１０の所定階の下階の壁を形成している。これらの木質床部材１２、上側木質壁部材２０Ｘ、及び下側木質壁部材２０Ｙは、例えば、ＣＬＴ（Cross Laminated Timber）やＬＶＬ（Laminated Veneer Lumber）、集成材、合板等の木質面材（木質パネル材）によって矩形の板状に形成される。
【００２１】
上側木質壁部材２０Ｘは、木質床部材１２を介して下側木質壁部材２０Ｙの上に載置されている。この上側木質壁部材２０Ｘは、引きボルト４０及びナット４２によって、木質床部材１２及び下側木質壁部材２０Ｙと接合されている。
【００２２】
なお、上側木質壁部材２０Ｘは、木質壁部材及び木質部材の一例である。また、木質床部材１２及び下側木質壁部材２０Ｙは、被接合部材の一例である。また、本実施形態では、上側木質壁部材２０Ｘと下側木質壁部材２０Ｙとが、同じ構成とされている。
【００２３】
下側木質壁部材２０Ｙは、木質壁部材本体２２を有している。図２に示されるように、木質壁部材本体２２の上部には、複数の開口部２４及び複数の取付孔２６が形成されている。複数の開口部２４は、木質壁部材本体２２の幅方向に間隔を空けて配置されている。なお、本実施形態の木質壁部材本体２２は、上側木質壁部材２０Ｘと同義である。また、木質壁部材本体２２は、木質部材本体の一例である。
【００２４】
複数の取付孔２６は、木質壁部材本体２２の上端部２２Ｕの端面に形成されている。また、取付孔２６は、開口部２４に通じる貫通孔とされている。この取付孔２６には、引きボルト４０の下部が挿入されている。
【００２５】
引きボルト４０の下端部は、開口部２４に露出されている。この引きボルト４０の下端部に、座金等を介してナット４２を締め込むことにより、引きボルト４０の下端部が下側木質壁部材２０Ｙに固定されている。
【００２６】
引きボルト４０の上部は、下側木質壁部材２０Ｙの上端部２２Ｕの端面から上方へ延出している。また、引きボルト４０の上部は、木質床部材１２に形成された取付孔を上下方向（矢印Ｈ方向）に貫通し、木質床部材１２の表面（上面）１２Ａから上方へ延出されている。この引きボルト４０の上端部に、上側木質壁部材２０Ｘが固定されている。
【００２７】
図１に示されるように、上側木質壁部材２０Ｘは、木質壁部材本体２２を有している。木質壁部材本体２２の下部の表面２２Ａには、複数の開口部３４及び複数の通路部３６が形成されている。
【００２８】
複数の開口部３４は、引きボルト４０の上端部を木質壁部材本体２２に固定するナット４２を収容する収容部とされている。また、複数の開口部３４は、木質壁部材本体２２の幅方向に間隔を空けて配置されている。
【００２９】
図２及び図３に示されるように、各開口部３４は、矩形状に形成されている。また、各開口部３４は、木質壁部材本体２２を厚み方向（図３の矢印Ｔ方向）に貫通する貫通孔とされている。この開口部３４の下側（木質床部材１２側）の内面は、引きボルト４０の上端部（一端部）が固定される固定面３４Ｍとされている。
【００３０】
通路部３６は、木質壁部材本体２２の表面２２Ａに形成されている。この通路部３６は、上下方向（矢印Ｈ方向、高さ方向）に延びる直線状の溝とされている。また、通路部３６の断面形状は、矩形状に形成されている。図３に示されるように、通路部３６は、溝底面３６Ａと、一対の溝側面３６Ｂとを有している。また、通路部３６は、木質壁部材本体２２の表面２２Ａ側に開口３６Ｃを有している。
【００３１】
通路部３６は、開口部３４と木質壁部材本体２２の下端部２２Ｌとに亘っている。より具体的には、通路部３６は、開口部３４の固定面３４Ｍと上側木質壁部材２０Ｘの下端部２２Ｌの端面とに亘って形成されている。この通路部３６には、木質床部材１２から上方へ延出する引きボルト４０の上部が挿入されている。
【００３２】
引きボルト４０の上端部は、木質壁部材本体２２の開口部３４に配置されている。この引きボルト４０の上端部に、座金４４等を介してナット４２を締め込むことにより、引きボルト４０の上端部が開口部３４の固定面３４Ｍに固定されている。この引きボルト４０によって、上側木質壁部材２０Ｘと下側木質壁部材２０Ｙとが木質床部材１２を介して接合されている。また、引きボルト４０は、上側木質壁部材２０Ｘと下側木質壁部材２０Ｙとの間で、主として曲げモーメントを伝達する。
【００３３】
なお、引きボルト４０は、線材の一例である。また、座金４４は、適宜省略可能である。
【００３４】
（木質壁部材の施工方法）
次に、第一実施形態に係る木質壁部材の施工方法の一例について説明する。
【００３５】
図４には、木質床部材１２の表面１２Ａから上方へ延出する引きボルト４０が示されている。この引きボルト４０の下端部は、下側木質壁部材２０Ｙに固定されている。なお、引きボルト４０は、図４の紙面奥行方向に複数並んで配置されている。
【００３６】
この状態から、先ず、図示しない揚重機によって上側木質壁部材２０Ｘを揚重し、引きボルト４０の上部に対して上側木質壁部材２０Ｘの下部を対向させる。
【００３７】
次に、引きボルト４０の上部に対し、上側木質壁部材２０Ｘを揚重しながら横方向に移動し、引きボルト４０の上部に上側木質壁部材２０Ｘの下部を接近させる。そして、引きボルト４０の上部を通路部３６の開口３６Ｃ（図３参照）を介して通路部３６内に挿入（横入れ）する。また、引きボルト４０の上端部を開口部３４に挿入する。
【００３８】
この際、木質床部材１２の表面１２Ａから上方へ延出する複数の引きボルト４０の上部を、上側木質壁部材２０Ｘの複数の通路部３６にそれぞれ挿入（横入れ）するとともに、複数の引きボルト４０の上端部を複数の開口部３４にそれぞれ挿入する。
【００３９】
次に、上側木質壁部材２０Ｘの下端部２２Ｌの端面を木質床部材１２の表面１２Ａに設置し、木質床部材１２に対して上側木質壁部材２０Ｘを位置決めする。この状態で、図３に示されるように、各引きボルト４０の上端部に座金４４を介してナット４２を締め込むことにより、各引きボルト４０の上端部を開口部３４の固定面３４Ｍに固定する。これにより、上側木質壁部材２０Ｘが、複数の引きボルト４０を介して木質床部材１２及び下側木質壁部材２０Ｙに接合される。
【００４０】
（効果）
次に、第一実施形態の効果について説明する。
【００４１】
本実施形態に係る上側木質壁部材２０Ｘによれば、木質壁部材本体２２には、開口部３４が形成されている。また、木質壁部材本体２２の表面２２Ａには、通路部３６が形成される。通路部３６は、開口部３４から木質壁部材本体２２の下端部２２Ｌに亘る。この通路部３６には、引きボルト４０が配置されている。
【００４２】
ここで、比較例として、上側木質壁部材２０Ｘの下部に、通路部３６に替えて開口部３４に通じる取付孔を形成し、当該取付孔に引きボルト４０の上部を挿入することが考えられる。
【００４３】
しかしながら、上記比較例では、上側木質壁部材２０Ｘを揚重しながら、当該上側木質壁部材２０Ｘの取付孔に引きボルト４０の上端部を挿入するため、手間がかかる。特に、上側木質壁部材２０Ｘの複数の取付孔に、複数の引きボルト４０の上端部を同時に挿入する場合には、さらに手間がかかる。
【００４４】
これに対して本実施形態の通路部３６は、前述したように、木質壁部材本体２２の表面２２Ａに形成されている。そのため、木質壁部材本体２２の表面２２Ａ側から、通路部３６に引きボルト４０の上部を容易に挿入（横入れ）することができる。
【００４５】
そのため、本実施形態では、前述した比較例と比べ、通路部３６に引きボルト４０の上部を容易に配置することができる。したがって、本実施形態では、上側木質壁部材２０Ｘと、木質床部材１２及び下側木質壁部材２０Ｙとの接合作業の手間が低減される。
【００４６】
なお、本実施形態では、上側木質壁部材２０Ｘの上部に取付孔２６を形成したが、上記実施形態はこれに限らない。例えば、図５に示される変形例のように、上側木質壁部材２０Ｘの上部には、取付孔２６に替えて通路部２８を形成しても良い。
【００４７】
具体的には、木質壁部材本体２２の上部における表面２２Ａには、開口部２４に通じる通路部２８が形成されている。この通路部２８と、上側木質壁部材２０Ｘの下部の通路部３６とは、木質壁部材本体２２の同じ表面２２Ａに形成されている。
【００４８】
上側木質壁部材２０Ｘの上には、図示しない支持部材に支持された木質床部材１４が設置されている。この木質床部材１４の下面からは、引きボルト５０の下部が下方へ延出されている。
【００４９】
ここで、図５に示される変形例では、上下の引きボルト５０，４０に対して上側木質壁部材２０Ｘを横方向へ移動させ、上下の引きボルト５０，４０に上側木質壁部材２０Ｘの上部及び下部を接近させる。これにより、上側木質壁部材２０Ｘの上部及び下部の通路部２８，３６に上下の引きボルト５０，４０をそれぞれ挿入（横入れ）することができる。したがって、上側木質壁部材２０Ｘと、木質床部材１２，１４との接合作業の手間が低減される。
【００５０】
また、図５に示される変形例では、上下の引きボルト５０，４０から離れる方向に上側木質壁部材２０Ｘを移動（横移動）させることにより、上側木質壁部材２０Ｘの通路部２８，３６から引きボルト５０，４０を引き出すことができる。したがって、例えば、地震等によって上側木質壁部材２０Ｘが損傷し、又は上側木質壁部材２０Ｘが経年劣化等した場合に、上側木質壁部材２０Ｘを容易に交換することができる。
【００５１】
（第二実施形態）
次に、第二実施形態について説明する。なお、第二実施形態において、上記第一実施形態と同じ構成の部材等には、同符号を付して説明を適宜省略する。
【００５２】
図６には、第二実施形態に係る木質壁部材６０が示されている。この木質壁部材６０は、木質壁部材本体２２を有している。木質壁部材本体２２の下部の表面２２Ａには、複数の開口部３４が形成されている。これらの開口部３４は、木質壁部材本体２２の幅方向に間隔を空けて配置されている。
【００５３】
なお、以下では、説明の便宜上、木質壁部材本体２２の幅方向の中央部に位置する開口部３４を中央開口部３４Ｃとし、中央開口部３４Ｃの一方側に配置される２つの開口部３４を第一開口部３４Ｓ１とし、中央開口部３４Ｃの他方側に配置される２つの開口部３４を第二開口部３４Ｓ２とする。また、木質壁部材６０は、木質部材の一例である。
【００５４】
木質壁部材本体２２の下端部２２Ｌの端面における中央部には、中央開口部３４Ｃに通じる取付孔６４が形成されている。取付孔６４は、上下方向に延びる貫通孔とされている。また、取付孔６４には、中央引きボルト４０Ｃが挿入される。この中央引きボルト４０Ｃは、木質壁部材６０の回転軸として機能する。また、木質壁部材本体２２の下部には、複数の第一通路部３６Ｓ１及び複数の第二通路部３６Ｓ２が形成されている。
【００５５】
第一通路部３６Ｓ１は、木質壁部材本体２２の表面２２Ａに形成されている。また、第一通路部３６Ｓ１は、上下方向に延びる直線状の溝とされている。この第一通路部３６Ｓ１は、第一開口部３４Ｓ１と木質壁部材本体２２の下端部２２Ｌとに亘っている。この第一通路部３６Ｓ１には、木質床部材１２の表面１２Ａから上方へ延出する第一引きボルト４０Ｓ１の上部が配置される。なお、第一引きボルト４０Ｓ１は、第一線材の一例である。
【００５６】
第二通路部３６Ｓ２は、木質壁部材本体２２の裏面２２Ｂに形成されている。また、第二通路部３６Ｓ２は、上下方向に延びる直線状の溝とされている。この第二通路部３６Ｓ２は、第二開口部３４Ｓ２と木質壁部材本体２２の下端部２２Ｌとに亘っている。この第二通路部３６Ｓ２には、木質床部材１２の表面１２Ａから上方へ延出する第二引きボルト４０Ｓ２の上部が配置される。なお、第二引きボルト４０Ｓ２は、第二線材の一例である。
【００５７】
（木質壁部材の施工方法）
次に、第二実施形態に係る木質壁部材の施工方法の一例について説明する。
【００５８】
図７に示されるように、先ず、図示しない揚重機によって木質壁部材６０を揚重し、木質壁部材６０の取付孔６４に中央引きボルト４０Ｃを挿入する。この際、中央引きボルト４０Ｃ、第一引きボルト４０Ｓ１、及び第二引きボルト４０Ｓ２の配列方向（矢印Ｋ方向）に対して交差するように木質壁部材６０を配置する。なお、この状態では、第一通路部３６Ｓ１及び第二通路部３６Ｓ２に、第一引きボルト４０Ｓ１及び第二引きボルト４０Ｓ２を挿入しない。
【００５９】
次に、中央引きボルト４０Ｃを中心として木質壁部材６０を矢印Ｒ方向に回転させ、木質壁部材６０の表面２２Ａを第一引きボルト４０Ｓ１に接近させるとともに、木質壁部材６０の裏面２２Ｂを第二引きボルト４０Ｓ２に接近させる。そして、木質壁部材６０の第一通路部３６Ｓ１に第一引きボルト４０Ｓ１をそれぞれ挿入（横入れ）するとともに、第一引きボルト４０Ｓ１の上端部を第一開口部３４Ｓ１にそれぞれ挿入する。また、木質壁部材６０の第二通路部３６Ｓ２に第二引きボルト４０Ｓ２をそれぞれ挿入（横入れ）するとともに、木質壁部材６０の第二開口部３４Ｓ２に第二引きボルト４０Ｓ２の上端部をそれぞれ挿入する。
【００６０】
次に、中央開口部３４Ｃ、第一開口部３４Ｓ１、及び第二開口部３４Ｓ２の各々において、中央引きボルト４０Ｃ、第一引きボルト４０Ｓ１、及び第二引きボルト４０Ｓ２の上端部に座金等を介してナットを締め込む。これにより、木質壁部材６０が木質床部材１２に接合される。
【００６１】
（効果）
次に、第二実施形態の効果について説明する。
【００６２】
本実施形態に係る木質壁部材６０によれば、木質壁部材本体２２の表面２２Ａには、第一通路部３６Ｓ１が形成され、木質壁部材本体２２の裏面２２Ｂには、第二通路部３６Ｓ２が形成されている。
【００６３】
これにより、例えば、図７に示される矢印Ｒ方向に、木質壁部材６０を回転させることにより、第一通路部３６Ｓ１に第一引きボルト４０Ｓ１を挿入（横入れ）しつつ、第二通路部３６Ｓ２に第二引きボルト４０Ｓ２を挿入（横入れ）することができる。したがって、木質壁部材６０の接合作業の手間と労力が低減される。
【００６４】
また、木質壁部材６０の下端部２２Ｌの端面における中央部には、取付孔６４が形成されている。この取付孔６４に中央引きボルト４０Ｃを挿入することにより、木質床部材１２に対して木質壁部材６０を位置決めすることができる。
【００６５】
さらに、中央引きボルト４０Ｃを中心として木質壁部材６０を所定方向（矢印Ｒ方向）に回転させることにより、第一通路部３６Ｓ１及び第二通路部３６Ｓ２に第一引きボルト４０Ｓ１及び第二引きボルト４０Ｓ２を容易に挿入することができる。
【００６６】
なお、本実施形態では、木質壁部材６０に取付孔６４を形成したが、取付孔６４に替えて、通路部を形成しても良い。この場合、通路部に挿入された中央引きボルト４０Ｃを中心として木質壁部材６０を回転させても良い。また、回転中心となる引きボルトが挿入される取付孔を、木質壁部材６０の中央部から一端側へずらすことで、回転中心を木質壁部材６０の一端側へずらすことも可能である。
【００６７】
また、例えば、取付孔６４及び中央引きボルト４０を省略し、回転軸がない状態で木質壁部材６０を所定方向（矢印Ｒ方向）に回転させても良い。
【００６８】
さらに、中央開口部３４Ｃ、第一開口部３４Ｓ１、及び第二開口部３４Ｓ２の数や配置は適宜変更可能であり、また、取付孔６４、第一通路部３６Ｓ１、第二通路部３６Ｓ２の数や配置も、適宜変更可能である。
【００６９】
（第三実施形態）
次に、第三実施形態について説明する。なお、第三実施形態において、上記第一実施形態及び第二実施形態と同じ構成の部材等には、同符号を付して説明を適宜省略する。
【００７０】
図８には、第三実施形態に係る左右一対の木質壁部材７０Ｌ，７０Ｒが示されている。一対の木質壁部材７０Ｌ，７０Ｒは、各々の幅方向（矢印Ｗ方向）に配列されている。この一対の木質壁部材７０Ｌ，７０Ｒは、引きボルト８０及びナット８２を介して互いに接合されている。なお、木質壁部材７０Ｌ，７０Ｒは、木質部材の一例である。
【００７１】
具体的には、一対の木質壁部材７０Ｌ，７０Ｒは、木質壁部材本体２２をそれぞれ有している。この一対の木質壁部材７０Ｌ，７０Ｒは、木質壁部材本体２２の側端部（幅方向の端部）２２Ｓの端面同士を接触させた状態で配置されている。
【００７２】
木質壁部材本体２２の幅方向の一方側の表面２２Ａには、複数の開口部７４が形成されている。複数の開口部７４は、上下方向（矢印Ｈ方向）に間隔を空けて配置されている。また、木質壁部材本体２２の表面２２Ａには、通路部７６が形成されている。通路部７６は、木質壁部材本体２２の幅方向（矢印Ｗ方向）に延びる直線状の溝とされている。
【００７３】
また、通路部７６は、開口部７４と木質壁部材本体２２の側端部２２Ｓとに亘っている。より具体的には、通路部７６は、開口部７４の固定面７４Ｍと木質壁部材本体２２の側端部２２Ｓの端面に亘って形成されている。
【００７４】
ここで、隣り合う一対の木質壁部材７０Ｌ，７０Ｒのうち、一方の木質壁部材７０Ｌ，７０Ｒの通路部７６には、木質壁部材本体２２の表面２２Ａ側から引きボルト８０の一端側が挿入（横入れ）されている。また、隣り合う一対の木質壁部材７０Ｌ，７０Ｒのうち、他方の木質壁部材７０Ｒの通路部７６には、木質壁部材本体２２の表面２２Ａ側から引きボルト８０の他端側が挿入（横入れ）されている。
【００７５】
また、引きボルト８０の両端部には、座金等を介してナット８２が締め込まれている。これにより、一対の木質壁部材７０Ｌ，７０Ｒが、引きボルト８０を介して接合されている。
【００７６】
なお、一対の木質壁部材７０Ｌ，７０Ｒは、引きボルト８０とは別に、スプラインプレートを介して接合しても良い。
【００７７】
（木質壁部材の施工方法）
次に、第三実施形態に係る木質壁部材の施工方法の一例について説明する。
【００７８】
先ず、一対の木質壁部材７０Ｌ，７０Ｒを、各々の幅方向に並べて配置する。そして、一対の木質壁部材７０Ｌ，７０Ｒの側端部２２Ｓの端面同士を接触させるとともに、一対の木質壁部材７０Ｌ，７０Ｒの通路部７６同士を接続する。
【００７９】
次に、一対の木質壁部材７０Ｌ，７０Ｒの表面２２Ａ側から、一対の木質壁部材７０Ｌ，７０Ｒの通路部７６に引きボルト８０の両端側をそれぞれ挿入（横入れ）するととともに、一対の木質壁部材７０Ｌ，７０Ｒの開口部７４に引きボルト８０の両端部をそれぞれ挿入（横入れ）する。
【００８０】
次に、一対の木質壁部材７０Ｌ，７０Ｒの開口部７４において、引きボルト８０の両端部に、座金等を介してナット８２を締め込む。これにより、一対の木質壁部材７０Ｌ，７０Ｒが、引きボルト８０を介して接合されている。また、突き合わされた一対の木質壁部材７０Ｌ，７０Ｒの端面間には、引きボルト８０に導入された初期張力によって摩擦力が発生する。この摩擦力によって、一対の木質壁部材７０Ｌ，７０Ｒのずれが抑制されるため、一対の木質壁部材７０Ｌ，７０Ｒを一体のパネル部材（壁部材）と見なすことができる。
【００８１】
（効果）
次に、第三実施形態の効果について説明する。
【００８２】
本実施形態に係る一対の木質壁部材７０Ｌ，７０Ｒによれば、各木質壁部材本体２２の表面２２Ａに通路部７６が形成されている。これにより、一対の木質壁部材７０Ｌ，７０Ｒの通路部７６に、木質壁部材本体２２の表面２２Ａ側から引きボルト８０をそれぞれ挿入することができる。
【００８３】
したがって、一対の木質壁部材７０Ｌ，７０Ｒを設置した後に、一対の木質壁部材７０Ｌ，７０Ｒの通路部７６に引きボルト８０をそれぞれ配置することができる。したがって、一対の木質壁部材７０Ｌ，７０Ｒの接合作業の手間が低減される。
【００８４】
（第四実施形態）
次に、第四実施形態について説明する。なお、第四実施形態において、上記第一実施形態〜第三実施形態と同じ構成の部材等には、同符号を付して説明を適宜省略する。
【００８５】
図９には、第四実施形態に係る一対の木質床部材９０Ｌ，９０Ｒが示されている。一対の木質床部材９０Ｌ，９０Ｒは、横方向（水平方向）に並んで配置されている。この一対の木質床部材９０Ｌ，９０Ｒは、引きボルト１００及びナット１０２を介して互いに接合されている。
【００８６】
具体的には、一対の木質床部材９０Ｌ，９０Ｒは、木質床部材本体９２をそれぞれ有している。この一対の木質床部材９０Ｌ，９０Ｒは、木質床部材本体９２の端部９２Ｅの端面同士を接触させた状態で配置されている。なお、一対の木質床部材９０Ｌ，９０Ｒは、木質部材の一例である。また、木質床部材本体９２は、木質部材本体の一例である。
【００８７】
木質床部材本体９２の一端側の表面（上面）９２Ａには、底部９４Ａ付きの開口部９４が形成されている。なお、底部９４Ａは、木質床部材本体９２と一体に形成しても良いし、木質床部材本体９２と別体で形成し、開口部９４に嵌め込んでも良い。また、木質床部材本体９２の表面９２Ａには、通路部９６が形成されている。通路部９６は、開口部９４と木質床部材本体９２の端部９２Ｅとに亘っている。より具体的には、通路部９６は、開口部９４の固定面９４Ｍと木質床部材本体９２の端部９２Ｅの端面とに亘って形成されている。
【００８８】
ここで、隣り合う一対の木質床部材９０Ｌ，９０Ｒのうち、一方の木質床部材９０Ｌの通路部９６には、木質床部材本体９２の表面９２Ａ側から引きボルト１００の一端側が挿入（横入れ）されている。また、隣り合う一対の木質床部材９０Ｌ，９０Ｒのうち、他方の木質床部材９０Ｒの通路部９６には、木質床部材本体９２の表面９２Ａ側から引きボルト１００の他端側が挿入（横入れ）されている。
【００８９】
また、引きボルト１００の両端部には、座金１０４等を介してナット１０２が締め込まれている。これにより、一対の木質床部材９０Ｌ，９０Ｒが、引きボルト１００を介して接合されている。
【００９０】
なお、一対の木質床部材９０Ｌ，９０Ｒは、引きボルト１００とは別に、スプラインプレートを介して接合しても良い。
【００９１】
（木質壁部材の施工方法）
次に、第四実施形態に係る木質壁部材の施工方法の一例について説明する。
【００９２】
先ず、一対の木質床部材９０Ｌ，９０Ｒを、横（横方向）に並べて配置する。そして、一対の木質床部材９０Ｌ，９０Ｒの端部９２Ｅの端面同士を接触させるとともに、一対の木質床部材９０Ｌ，９０Ｒの通路部９６同士を接続する。
【００９３】
次に、一対の木質床部材９０Ｌ，９０Ｒの通路部９６に、木質床部材本体９２の表面９２Ａ側から引きボルト１００の両端側をそれぞれ挿入（横入れ）するととともに、一対の木質床部材９０Ｌ，９０Ｒの開口部９４に、引きボルト１００の両端部をそれぞれ挿入（横入れ）する。
【００９４】
次に、一対の木質床部材９０Ｌ，９０Ｒの開口部９４において、引きボルト１００の両端部に座金等を介してナット１０２を締め込む。これにより、一対の木質床部材９０Ｌ，９０Ｒが、引きボルト１００を介して接合されている。また、突き合わされた一対の木質床部材９０Ｌ，９０Ｒの端面間には、引きボルト１００に導入された初期張力によって摩擦力が発生する。この摩擦力によって、一対の木質床部材９０Ｌ，９０Ｒのずれが抑制されるため、一対の木質床部材９０Ｌ，９０Ｒを一体のパネル部材（床部材）と見なすことができる。
【００９５】
また、一対の木質床部材９０Ｌ，９０Ｒの端面間に発生する摩擦力が大きい場合には、一対の木質床部材９０Ｌ，９０Ｒを接合するスプラインプレート等をなくし、若しくはスプラインプレート等の数を低減することができる。
【００９６】
（効果）
次に、第四実施形態の効果について説明する。
【００９７】
本実施形態に係る一対の木質床部材９０Ｌ，９０Ｒによれば、木質床部材本体９２の表面９２Ａに通路部９６が形成されている。これにより、一対の木質床部材９０Ｌ，９０Ｒの通路部９６に、木質床部材本体９２の表面９２Ａ側から引きボルト１００を挿入することができる。
【００９８】
したがって、一対の木質床部材９０Ｌ，９０Ｒを設置した後に、一対の木質床部材９０Ｌ，９０Ｒの通路部９６に引きボルト１００を配置することができる。したがって、一対の木質床部材９０Ｌ，９０Ｒの接合作業の手間が低減される。
【００９９】
（変形例）
次に、上記第一実施形態〜第四実施形態の変形例について説明する。なお、以下では、上記第一実施形態を例に各種の変形例について説明するが、これらの変形例は上記第二実施形態〜第四実施形態にも適宜適用可能である。
【０１００】
図１０に示されるように、上記第一実施形態における開口部３４及び通路部３６には、塞ぎ材１１０を設けても良い。塞ぎ材１１０としては、例えば、遮音材（吸音材）、断熱材、耐火材、又は埋め木が挙げられる。この塞ぎ材１１０によって開口部３４及び通路部３６を塞ぐことにより、塞ぎ材１１０の種類に応じて、上側木質壁部材２０Ｘの遮音性能、断熱性能、耐火性能、又は意匠性を高めることができる。
【０１０１】
なお、塞ぎ材は、開口部３４及び通路部３６の少なくとも一方に設けることができる。
【０１０２】
また、上記第一実施形態では、上側木質壁部材２０Ｘの通路部３６に線材としての引きボルト４０を挿入したが、上記実施形態はこれに限らない。線材としては、例えば、ＰＣ鋼棒や、ＰＣ鋼線等を用いても良い。
【０１０３】
また、上記第一実施形態は、木質壁部材同士の接合に限らず、例えば、木質壁部材、木質床部材、木質梁、木質柱の接合に適宜適用可能である。
【０１０４】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【０１０５】
２０Ｘ    上側木質壁部材（木質壁部材、木質部材）
２２      木質壁部材本体（木質部材本体）
２２Ａ    表面（木質壁部材本体の表面）
２２Ｂ    裏面（木質壁部材本体の裏面）
２２Ｌ    下端部（木質壁部材本体の端部）
２２Ｓ    側端部（木質壁部材本体の端部）
２２Ｕ    上端部（木質壁部材本体の端部）
２４      開口部
２８      通路部
３４      開口部
３４Ｓ１  第一開口部
３４Ｓ２  第二開口部
３６      通路部
３６Ｓ１  第一通路部
３６Ｓ２  第二通路部
４０      引きボルト（線材）
４０Ｓ１  第一引きボルト（第一線材）
４０Ｓ２  第二引きボルト（第二線材）
５０      引きボルト（線材）
６０      木質壁部材（木質部材）
７０Ｌ    木質壁部材（木質部材）
７０Ｒ    木質壁部材（木質部材）
７４      開口部
７６      通路部
８０      引きボルト（線材）
９０      木質床部材（木質部材）
９２      木質床部材本体（木質部材本体）
９２Ａ    表面（木質部材本体の表面）
９２Ｅ    端部（木質部材本体の端部）
９４      開口部
９６      通路部
１００    引きボルト（線材）
【図１】
2019027020.tif 000003
【図２】
2019027020.tif 000004
【図３】
2019027020.tif 000005
【図４】
2019027020.tif 000006
【図５】
2019027020.tif 000007
【図６】
2019027020.tif 000008
【図７】
2019027020.tif 000009
【図８】
2019027020.tif 000010
【図９】
2019027020.tif 000011
【図１０】
2019027020.tif 000012